(57)【要約】【課題】冷媒回路の冷媒によって加熱した熱搬送回路の熱媒体が放出する熱を利用して室内を暖房する暖房システムにおいて、暖房システムの運転効率を向上させる。【解決手段】熱源側熱交換器（23）と利用側熱交換器（35）の間で熱媒体を循環させる熱搬送回路（30）に、熱源側熱交換器（23）で加熱された熱媒体を貯留するための蓄熱タンク（37）を設ける。熱搬送回路（30）は、熱源側熱交換器（23）で加熱された熱媒体だけを利用側熱交換器（35）へ供給する通常動作と、熱源側熱交換器（23）で加熱された熱媒体を利用側熱交換器（35）と蓄熱タンク（37）の両方へ供給する蓄熱動作と、熱源側熱交換器（23）で加熱された熱媒体と蓄熱タンク（37）内の熱媒体の両方を利用側熱交換器（35）へ供給する利用動作とを選択的に行う。【選択図】図１
2009281650.tif 000002
【特許請求の範囲】
【請求項１】
熱源側熱交換器（23）と利用側熱交換器（35）の間で熱媒体を循環させる熱搬送回路（30）と、
冷媒を循環させて冷凍サイクルを行い、上記熱源側熱交換器（23）に接続されて上記熱搬送回路（30）の熱媒体を冷媒で加熱する冷媒回路（21）とを備え、
上記利用側熱交換器（35）で熱媒体が放出する熱を利用して室内を暖房する暖房システムであって、
上記熱搬送回路（30）は、上記熱源側熱交換器（23）で加熱された熱媒体を貯留するための蓄熱タンク（37）を備え、該熱源側熱交換器（23）で加熱された熱媒体だけを上記利用側熱交換器（35）へ供給する通常動作と、該熱源側熱交換器（23）で加熱された熱媒体を該利用側熱交換器（35）と上記蓄熱タンク（37）の両方へ供給する蓄熱動作と、該熱源側熱交換器（23）で加熱された熱媒体と該蓄熱タンク（37）内の熱媒体の両方を該利用側熱交換器（35）へ供給する利用動作とを選択的に行うことを特徴とする暖房システム。
【請求項２】
請求項１において、
上記熱搬送回路（30）において上記利用側熱交換器（35）を通過した熱媒体、又は該利用側熱交換器（35）を通過する途中の熱媒体の温度を検出し、該熱媒体の温度が所定の数値範囲内の値である場合には上記通常動作に、該熱媒体の温度が上記所定の数値範囲の上限値を上回る場合には上記蓄熱動作に、該熱媒体の温度が上記所定の数値範囲の下限値を下回る場合には上記利用動作に、上記熱搬送回路（30）の動作を設定する制御手段（50）を備えていることを特徴とする暖房システム。
【請求項３】
請求項１又は２において、
上記冷媒回路（21）に設けられる圧縮機（22）は、その運転容量が固定となっていることを特徴とする暖房システム。
【請求項４】
請求項３において、
上記冷媒回路（21）では、上記熱搬送回路（30）で熱媒体が循環している間は上記圧縮機（22）が連続運転を行うことを特徴とする暖房システム。
【請求項５】
請求項１乃至４の何れか１つにおいて、
上記熱搬送回路（30）は、上記蓄熱動作の際には上記蓄熱タンク（37）の下部から流出した熱媒体が上記利用側熱交換器（35）から上記熱源側熱交換器（23）へ向かう熱媒体に合流して上記熱源側熱交換器（23）へ送られ、上記利用動作の際には上記利用側熱交換器（35）から上記熱源側熱交換器（23）へ向かう熱媒体の一部が上記蓄熱タンク（37）の下部へ流入するように構成されていることを特徴とする暖房システム。
【請求項６】
請求項５において、
上記熱搬送回路（30）には、上記利用側熱交換器（35）から上記熱源側熱交換器（23）へ向かう熱媒体が流通する戻り通路（31b）に配置されたポンプ（36）と、該戻り通路（31b）における利用側熱交換器（35）とポンプ（36）の間と上記蓄熱タンク（37）の下部とを連通させる第１連通通路（62a）と、該戻り通路（31b）におけるポンプ（36）と熱源側熱交換器（23）の間と該蓄熱タンク（37）の下部とを連通させる第２連通通路（62b）とが設けられ、
上記蓄熱動作の際には、上記蓄熱タンク（37）の熱媒体が上記第１連通通路（62a）を通じて上記ポンプ（36）に吸い込まれ、上記利用動作の際には、上記ポンプ（36）から吐出された熱媒体の一部が上記第２連通通路（62b）を通じて上記蓄熱タンク（37）へ送られることを特徴とする暖房システム。
【請求項７】
請求項６において、
上記ポンプ（36）は、吐出流量が可変に構成される一方、
上記熱搬送回路（30）では、上記通常動作に比べて上記利用動作の方が吐出流量が多くなるように上記ポンプ（36）の吐出流量が設定されることを特徴とする暖房システム。
【請求項８】
請求項５において、
上記熱搬送回路（30）には、上記利用側熱交換器（35）から上記熱源側熱交換器（23）へ向かう熱媒体が流通する戻り通路（31b）に配置された主ポンプ（36）と、該戻り通路（31b）と上記蓄熱タンク（37）の下部とを連通させる連通通路（62）に配置されて、上記利用動作の際に上記利用側熱交換器（35）から上記熱源側熱交換器（23）へ向かう熱媒体の一部を上記蓄熱タンク（37）の下部へ送る副ポンプ（39）とが設けられていることを特徴とする暖房システム。
【請求項９】
請求項１乃至８の何れか１つにおいて、
上記室内、又は該室内を区画する区画部材の裏側に配置された室内熱交換器（75）が設けられると共に、上記利用側熱交換器（35）に接続され、該利用側熱交換器（35）で加熱された熱媒体が該室内熱交換器（75）で放熱する室内側回路（80）を備えていることを特徴とする暖房システム。
【発明の詳細な説明】
【技術分野】
【０００１】
本発明は、冷凍サイクルを行う冷媒回路を熱源とする暖房システムに関するものである。
【背景技術】
【０００２】
従来より、冷凍サイクルを行う冷媒回路を熱源とする暖房システムが知られている。この種の暖房システムでは、冷媒回路を循環する冷媒によって加熱された熱媒体が放出する熱を利用して室内の暖房が行われる。
【０００３】
例えば、特許文献１には、この種の暖房システムとして、床暖房を行う床暖房装置が開示されている。この床暖房装置では、冷媒回路に温水熱交換器が設けられている。温水熱交換器には、水が循環する二次側回路が接続されている。二次側回路には、床暖房パネルが設けられている。温水熱交換器では、冷媒が放熱して、二次側回路を循環する水が加熱される。二次側回路では、温水熱交換器で加熱された温水が床暖房パネルで放熱する。このように、この床暖房装置では、冷媒回路の冷媒によって加熱された温水が床暖房パネルで放熱することによって室内の暖房が行われる。なお、この床暖房装置では、床暖房パネルから温水熱交換器へ戻る温水の温度が目標温度になるように、冷媒回路の圧縮機のインバータが制御される。
【特許文献１】特開２０００−４６４１７号公報
【発明の開示】
【発明が解決しようとする課題】
【０００４】
ところで、従来の暖房システムでは、床暖房パネルから温水熱交換器へ戻る温水の温度に応じて圧縮機の運転容量が制御されていた。温水熱交換器へ戻る温水の温度は、暖房負荷が高いほど低くなる。つまり、従来の暖房システムでは、冷媒回路における冷媒の循環量が、暖房負荷に応じて調節されていた。
【０００５】
ここで、冷媒回路での冷凍サイクルにより得られる温熱量は、冷媒回路における冷媒の循環量によって決まる。一方、冷媒回路における冷媒の循環量が変化すると、それに伴って冷凍サイクルの成績係数（ＣＯＰ）も変化する。その理由としては、熱交換器を通過する冷媒の流速が変化すると熱交換器の性能が変化することや、圧縮機の回転速度が変化すると圧縮機の効率が変化すること等が挙げられる。
【０００６】
このため、従来の暖房システムのように、暖房能力の調節を冷凍サイクルによって得られる温熱量の変更だけによって行う場合は、冷媒回路における冷媒の循環量の変動幅が大きくなってしまう。このため、従来の暖房システムでは、冷媒回路での冷媒の循環量を、それほど高い成績係数が得られないような値に設定せざるを得なくなる時間が長くなり、暖房システムの運転効率が低下するおそれがあった。
【０００７】
本発明は、かかる点に鑑みてなされたものであり、その目的は、冷媒回路の冷媒によって加熱した熱搬送回路の熱媒体が放出する熱を利用して室内を暖房する暖房システムにおいて、暖房システムの運転効率を向上させることにある。
【課題を解決するための手段】
【０００８】
第１の発明は、熱源側熱交換器（23）と利用側熱交換器（35）の間で熱媒体を循環させる熱搬送回路（30）と、冷媒を循環させて冷凍サイクルを行い、上記熱源側熱交換器（23）に接続されて上記熱搬送回路（30）の熱媒体を冷媒で加熱する冷媒回路（21）とを備え、上記利用側熱交換器（35）で熱媒体が放出する熱を利用して室内を暖房する暖房システムを対象とする。そして、この暖房システムの熱搬送回路（30）は、上記熱源側熱交換器（23）で加熱された熱媒体を貯留するための蓄熱タンク（37）を備え、該熱源側熱交換器（23）で加熱された熱媒体だけを上記利用側熱交換器（35）へ供給する通常動作と、該熱源側熱交換器（23）で加熱された熱媒体を該利用側熱交換器（35）と上記蓄熱タンク（37）の両方へ供給する蓄熱動作と、該熱源側熱交換器（23）で加熱された熱媒体と該蓄熱タンク（37）内の熱媒体の両方を該利用側熱交換器（35）へ供給する利用動作とを選択的に行う。
【０００９】
第１の発明では、通常動作と蓄熱動作と利用動作が選択的に行われる。通常動作では、蓄熱タンク（37）を用いることなく、熱源側熱交換器（23）で加熱された熱媒体だけが、利用側熱交換器（35）へ供給される。蓄熱動作では、熱源側熱交換器（23）で加熱された熱媒体が、利用側熱交換器（35）と蓄熱タンク（37）の両方へ供給される。蓄熱動作では、熱源側熱交換器（23）で加熱された熱媒体の一部が蓄熱タンク（37）へ供給されるので、利用側熱交換器（35）へ供給される熱媒体の熱量が減少し、その利用側熱交換器（35）における加熱能力が減少する。利用動作では、熱源側熱交換器（23）で加熱された熱媒体と蓄熱タンク（37）内の熱媒体の両方が、利用側熱交換器（35）へ供給される。利用動作では、蓄熱タンク（37）からも利用側熱交換器（35）へ熱媒体が供給されるので、利用側熱交換器（35）へ供給される熱媒体の熱量が増加し、その利用側熱交換器（35）における加熱能力が増加する。このように、この第１の発明では、利用側熱交換器（35）に供給する熱媒体の熱量を蓄熱タンク（37）によって調節することで、冷媒回路（21）における冷媒の循環量を調節しなくても、利用側熱交換器（35）における加熱能力が調節される。
【００１０】
第２の発明は、上記第１の発明において、上記熱搬送回路（30）において上記利用側熱交換器（35）を通過した熱媒体、又は該利用側熱交換器（35）を通過する途中の熱媒体の温度を検出し、該熱媒体の温度が所定の数値範囲内の値である場合には上記通常動作に、該熱媒体の温度が上記所定の数値範囲の上限値を上回る場合には上記蓄熱動作に、該熱媒体の温度が上記所定の数値範囲の下限値を下回る場合には上記利用動作に、上記熱搬送回路（30）の動作を設定する制御手段（50）を備えている。
【００１１】
第２の発明では、制御手段（50）が、熱搬送回路（30）において利用側熱交換器（35）を通過した熱媒体、又は該利用側熱交換器（35）を通過する途中の熱媒体の温度を検出する。制御手段（50）は、検出した熱媒体の温度が所定の数値範囲内の値である場合には、熱搬送回路（30）に通常動作を行わせる。また、制御手段（50）は、検出した熱媒体の温度が所定の数値範囲の上限値を上回る場合、つまり暖房負荷が比較的低く利用側熱交換器（35）で熱媒体の温度がそれほど低下しない場合には、熱搬送回路（30）に蓄熱動作を行わせる。また、制御手段（50）は、検出した熱媒体の温度が所定の数値範囲の下限値を下回る場合、つまり暖房負荷が比較的高く利用側熱交換器（35）で熱媒体の温度が比較的大きく低下する場合には、熱搬送回路（30）に利用動作を行わせる。この第２の発明では、利用側熱交換器（35）を通過した熱媒体、又は利用側熱交換器（35）を通過する途中の熱媒体の温度を用いて熱搬送回路（30）の動作を制御しているので、暖房負荷に応じて熱搬送回路（30）の動作が切り換えられる。
【００１２】
第３の発明は、上記第１又は第２の発明において、上記冷媒回路（21）では、冷媒を循環させる圧縮機（22）が運転容量が固定の圧縮機により構成されている。
【００１３】
第３の発明では、冷媒回路（21）の圧縮機（22）として、運転容量が固定の圧縮機が用いられている。
【００１４】
第４の発明は、上記第３の発明において、上記冷媒回路（21）では、上記熱搬送回路（30）で熱媒体が循環している間は上記圧縮機（22）が連続運転を行う。
【００１５】
第４の発明では、熱搬送回路（30）で熱媒体が循環している間は、圧縮機（22）が連続運転を行う。つまり、熱搬送回路（30）で熱媒体が循環している間は、冷媒回路（21）から熱搬送回路（30）へ連続的に熱が供給される。
【００１６】
第５の発明は、上記第１乃至第４の何れか１つの発明において、上記熱搬送回路（30）が、上記蓄熱動作の際には上記蓄熱タンク（37）の下部から流出した熱媒体が上記利用側熱交換器（35）から上記熱源側熱交換器（23）へ向かう熱媒体に合流して上記熱源側熱交換器（23）へ送られ、上記利用動作の際には上記利用側熱交換器（35）から上記熱源側熱交換器（23）へ向かう熱媒体の一部が上記蓄熱タンク（37）の下部へ流入するように構成されている。
【００１７】
第５の発明では、蓄熱動作の際に、熱源側熱交換器（23）で加熱された熱媒体の一部が蓄熱タンク（37）に流入し、蓄熱タンク（37）の下部からは熱源側熱交換器（23）へ送る熱媒体が流出する。一方、利用動作の際には、利用側熱交換器（35）から熱源側熱交換器（23）へ向かう熱媒体の一部が蓄熱タンク（37）の下部へ流入し、蓄熱タンク（37）からは利用側熱交換器（35）へ供給する熱媒体が流出する。蓄熱動作中の蓄熱タンク（37）では、加熱後の熱媒体が流入するのに伴って下部から熱媒体を流出させ、利用動作中の蓄熱ダンクでは、利用側熱交換器（35）へ供給する熱媒体が流出するのに伴って下部から熱媒体を流入させている。
【００１８】
第６の発明は、上記第５の発明において、上記熱搬送回路（30）には、上記利用側熱交換器（35）から上記熱源側熱交換器（23）へ向かう熱媒体が流通する戻り通路（31b）に配置されたポンプ（36）と、該戻り通路（31b）における利用側熱交換器（35）とポンプ（36）の間と上記蓄熱タンク（37）の下部とを連通させる第１連通通路（62a）と、該戻り通路（31b）におけるポンプ（36）と熱源側熱交換器（23）の間と該蓄熱タンク（37）の下部とを連通させる第２連通通路（62b）とが設けられ、上記蓄熱動作の際には、上記蓄熱タンク（37）の熱媒体が上記第１連通通路（62a）を通じて上記ポンプ（36）に吸い込まれ、上記利用動作の際には、上記ポンプ（36）から吐出された熱媒体の一部が上記第２連通通路（62b）を通じて上記蓄熱タンク（37）へ送られる。
【００１９】
第６の発明では、蓄熱タンク（37）の下部が、第１連通通路（62a）を通じて利用側熱交換器（35）とポンプ（36）の間に連通している。つまり、蓄熱タンク（37）の下部が、ポンプ（36）の吸入側に連通している。このため、蓄熱動作の際に、ポンプ（36）によって蓄熱タンク（37）の下部から熱媒体を流出させることが可能である。また、蓄熱タンク（37）の下部が、第２連通通路（62b）を通じてポンプ（36）と熱源側熱交換器（23）の間に連通している。つまり、蓄熱タンク（37）の下部が、ポンプ（36）の吐出側に連通している。このため、利用動作の際に、ポンプ（36）によって蓄熱タンク（37）の下部へ熱媒体を送り込むことが可能である。この第６の発明では、通常動作と蓄熱動作と利用動作の何れの動作でも、戻り通路（31b）のポンプ（36）のみで実行することが可能である。
【００２０】
第７の発明は、上記第６の発明において、上記ポンプ（36）は、吐出流量が可変に構成される一方、上記熱搬送回路（30）では、上記通常動作に比べて上記利用動作の方が吐出流量が多くなるように上記ポンプ（36）の吐出流量が設定される。
【００２１】
第７の発明では、通常動作に比べて利用動作の方が吐出流量が多くなるようにポンプ（36）の吐出流量が設定される。このため、通常動作に比べて利用動作の方が、利用側熱交換器（35）へ供給される熱媒体の流量が多くなる。
【００２２】
第８の発明は、上記第５の発明において、上記熱搬送回路（30）には、上記利用側熱交換器（35）から上記熱源側熱交換器（23）へ向かう熱媒体が流通する戻り通路（31b）に配置された主ポンプ（36）と、該戻り通路（31b）と上記蓄熱タンク（37）の下部とを連通させる連通通路（62）に配置されて、上記利用動作の際に上記利用側熱交換器（35）から上記熱源側熱交換器（23）へ向かう熱媒体の一部を上記蓄熱タンク（37）の下部へ送る副ポンプ（39）とが設けられている。
【００２３】
第８の発明では、利用動作の際に利用側熱交換器（35）から熱源側熱交換器（23）へ向かう熱媒体の一部を蓄熱タンク（37）の下部へ送るのに副ポンプ（39）が用いられている。利用動作の際に蓄熱タンク（37）の下部へ送られる熱媒体の流量は、副ポンプ（39）の吐出流量によって決定される。
【００２４】
第９の発明は、上記第１乃至第８の何れか１つの発明において、上記室内、又は該室内を区画する区画部材の裏側に配置された室内熱交換器（75）が設けられると共に、上記利用側熱交換器（35）に接続され、該利用側熱交換器（35）で加熱された熱媒体が該室内熱交換器（75）で放熱する室内側回路（80）を備えている。
【００２５】
第９の発明では、熱搬送回路（30）の利用側熱交換器（35）に、室内側回路（80）が接続されている。室内側回路（80）には、室内、又は室内を区画する構成部材の裏側（例えば床面材の裏側）に配置された室内熱交換器（75）が設けられている。室内側回路（80）では、利用側熱交換器（35）で加熱された熱媒体が室内熱交換器（75）で放熱する。室内は、室内熱交換器（75）が放出する熱によって暖房される。
【発明の効果】
【００２６】
本発明では、利用側熱交換器（35）に供給する熱媒体の熱量を蓄熱タンク（37）によって調節することができるので、冷媒回路（21）における冷媒の循環量を調節しなくても、利用側熱交換器（35）における加熱能力を調節することが可能である。利用側熱交換器（35）における加熱能力は、冷凍サイクルによって得られる温熱量が一定でも調節可能である。このため、冷凍サイクルだけで加熱能力を調節する場合に比べて、冷媒回路（21）における冷媒の循環量の変動幅が小さくなる。従って、冷媒回路（21）での冷媒の循環量を、それほど高い成績係数が得られないような値に設定せざるを得なくなる時間を短縮できるので、暖房システムの運転効率を向上させることができる。
【００２７】
また、本発明では、熱源側熱交換器（23）で加熱された熱媒体が蓄熱タンク（37）を経由しない通常動作が行われる。ここで、例えば熱源側熱交換器（23）から利用側熱交換器（35）へ向かう熱媒体が流通する通路に蓄熱タンク（37）が配置されている場合には、熱源側熱交換器（23）で加熱された熱媒体が一旦蓄熱タンク（37）内に貯められる。このため、熱源側熱交換器（23）で加熱された熱媒体が利用側熱交換器（35）に到達するまでの時間が長くなり、その間に熱媒体が放熱して熱ロスが比較的大きくなってしまう。これに対して、本発明では、熱源側熱交換器（23）で加熱された熱媒体が蓄熱タン（37）クを経由しない通常動作が行われる。通常動作では、熱源側熱交換器（23）で加熱された熱媒体が蓄熱タンク（37）を経由する場合に比べて、熱源側熱交換器（23）で加熱された熱媒体が利用側熱交換器（35）に到達するまでの時間が短くなる。従って、熱源側熱交換器（23）で加熱された熱媒体の放熱ロスを減少させることができるので、暖房システムの運転効率を向上させることができる。
【００２８】
また、上記第２の発明では、利用側熱交換器（35）を通過した熱媒体、又は利用側熱交換器（35）を通過する途中の熱媒体の温度を用いて熱搬送回路（30）の動作を制御しているので、暖房負荷に応じて熱搬送回路（30）の動作が切り換えられる。従って、暖房負荷に応じて利用側熱交換器（35）の加熱能力を適切に調節することができる。
【００２９】
また、上記第３の発明では、冷媒回路（21）の圧縮機（22）として運転容量が固定の圧縮機を用いている。このため、圧縮機（22）の運転容量における成績係数が高くなるように冷媒回路（21）を設計することで、常に成績係数が高くなる状態で運転を行うことができる。従って、暖房システムの運転効率を向上させることができる。
【００３０】
また、上記第４の発明では、熱搬送回路（30）で熱媒体が循環している間は、冷媒回路（21）から熱搬送回路（30）へ連続的に熱が供給される。このため、冷媒回路（21）の単位時間当たりの出力熱量を小さくすることが可能である。従って、圧縮機（22）を含めて冷媒回路（21）の構成を小型化することができる。また、圧縮機（22）の発停に伴うエネルギーロスをなくすことができるので、暖房システムの運転効率を向上させることが可能である。
【００３１】
また、上記第６の発明では、ポンプ（36）の吸入側に蓄熱タンク（37）の下部を連通させる第１連通通路（62a）と、ポンプ（36）の吐出側に蓄熱タンク（37）の下部を連通させる第２連通通路（62b）とを設けているので、戻り通路（31b）のポンプ（36）のみで、通常動作と蓄熱動作と利用動作の何れの動作でも実行することが可能である。このため、蓄熱動作や利用動作のために別途にポンプ（36）を設けることを回避できるので、熱搬送回路（30）の構成を簡素化することができる。
【００３２】
また、上記第７の発明では、ポンプ（36）の吐出流量の制御によって、通常動作に比べて利用動作の方が利用側熱交換器（35）へ供給される熱媒体の流量を多くなるようにしている。従って、利用動作において利用側熱交換器（35）における加熱能力を効率的に高めることができる。
【００３３】
また、上記第８の発明では、利用動作の際に蓄熱タンク（37）の下部へ送られる熱媒体の流量が、副ポンプ（39）の吐出流量によって決定されるようにしている。蓄熱タンク（37）では、下部へ送られた熱媒体によって利用側熱交換器（35）へ供給される熱媒体が押し出される。従って、利用動作の際に蓄熱タンク（37）から利用側熱交換器（35）へ供給される熱媒体の流量は、副ポンプ（39）の吐出流量によって決定されることになる。従って、利用動作の際に蓄熱タンク（37）から利用側熱交換器（35）へ供給される熱媒体の流量を所望の流量に容易に設定することができる。
【発明を実施するための最良の形態】
【００３４】
以下、本発明の実施形態を図面に基づいて詳細に説明する。
【００３５】
《発明の実施形態１》
本発明の実施形態１について説明する。本実施形態１は、本発明に係る暖房システム（10）である。この暖房システム（10）は、ヒートポンプ式の熱源ユニット（20）を熱源として熱搬送回路（30）の熱媒体を加熱し、その熱媒体が放出する熱を利用して室内の暖房を行うように構成されている。この暖房システム（10）では、熱源ユニット（20）の冷媒回路（21）が一次側回路になって熱搬送回路（30）が二次側回路になっている。この暖房システム（10）は、例えば寒冷地の一般家庭に設置される。
【００３６】
具体的に、熱搬送回路（30）には、図１に示すように、熱源側熱交換器（23）と、複数の利用側熱交換器（35,35,35）とが接続されている。複数の利用側熱交換器（35）は、供給側ヘッダ（33）と戻り側ヘッダ（34）の間において互いに並列に接続されている。熱搬送回路（30）では、熱源側熱交換器（23）と複数の利用側熱交換器（35）との間で、熱媒体である水が循環する。
【００３７】
熱源側熱交換器（23）は、後述する冷媒回路（21）が接続された第１通路（23a）と、熱搬送回路（30）が接続された第２通路（23b）とを備えている。熱源側熱交換器（23）は、第１通路（23a）の冷媒と第２通路（23b）の水とが熱交換を行うように構成されている。熱源側熱交換器（23）は、例えばプレート式の熱交換器により構成されている。また、利用側熱交換器（35）は、床面材の裏側に設置される床暖房用のラジエータや、室内空間に設置されるラジエータとして構成されている。
【００３８】
熱搬送回路（30）では、熱源側熱交換器（23）の出口から各利用側熱交換器（35）の入口に至るまでの通路が供給通路（31a）を構成し、各利用側熱交換器（35）の出口から第２通路（23b）の入口へ至るまでの通路が戻り通路（31b）を構成している。供給通路（31a）では、熱源側熱交換器（23）と供給側ヘッダ（33）の間に、開閉自在の第１開閉弁（41）が設けられている。一方、戻り通路（31b）では、戻り側ヘッダ（34）と熱源側熱交換器（23）との間に、運転容量が可変のポンプ（36）が設けられている。また、戻り通路（31b）におけるポンプ（36）の吸入側には、熱搬送回路（30）の圧力を逃がすための膨張タンク（38）が接続されている。また、戻り通路（31b）における戻り側ヘッダ（34）とポンプ（36）の間には、各利用側熱交換器（35）で放熱した水の温度を計測するための出口温度センサ（16）が設けられている。
【００３９】
また、本実施形態１の熱搬送回路（30）には、熱源側熱交換器（23）で加熱された温水を貯留するための蓄熱タンク（37）が設けられている。蓄熱タンク（37）では、水が満杯になっており、上方ほど水の温度が高くなっている。蓄熱タンク（37）の頂部には、蓄熱タンク（37）に温水を流入させるための入湯通路（61）と、蓄熱タンク（37）から温水を流出させるための出湯通路（64）とが接続されている。入湯通路（61）は、供給通路（31a）における熱源側熱交換器（23）と第１開閉弁（41）の間から分岐している。入湯通路（61）には、開閉自在の第２開閉弁（42）が設けられている。一方、出湯通路（64）は、供給通路（31a）における第１開閉弁（41）と供給側ヘッダ（33）との間に合流している。出湯通路（64）には、開閉自在の第５開閉弁（45）が設けられている。
【００４０】
また、本実施形態１の戻り通路（31b）には、戻り側ヘッダ（34）とポンプ（36）の間に第１連通通路（62a）が接続され、ポンプ（36）と熱源側熱交換器（23）の間に第２連通通路（62b）が接続されている。第１連通通路（62a）と第２連通通路（62b）は、戻り通路（31b）とは逆側が、蓄熱タンク（37）の底面に接続された合流通路（63）で合流している。第１連通通路（62a）は、蓄熱タンク（37）の下部をポンプ（36）の吸入側に連通させる。第１連通通路（62a）には、開閉自在の第４開閉弁（44）が設けられている。一方、第２連通通路（62b）は、蓄熱タンク（37）の下部をポンプ（36）の吐出側に連通させる。第２連通通路（62b）には、開閉自在の第３開閉弁（43）が設けられている。
【００４１】
本実施形態１の熱搬送回路（30）では、第１から第５開閉弁（41〜45）を制御することによって、熱源側熱交換器（23）で加熱された温水だけを各利用側熱交換器（35）へ供給する通常動作と、熱源側熱交換器（23）で加熱された温水を各利用側熱交換器（35）と蓄熱タンク（37）の両方へ供給する蓄熱動作と、熱源側熱交換器（23）で加熱された温水と蓄熱タンク（37）内の温水の両方を各利用側熱交換器（35）へ供給する利用動作の３種類の動作のうち何れかが行われる。各動作についての詳細は後述する。
【００４２】
熱源ユニット（20）には、冷媒が充填された冷媒回路（21）が収容されている。冷媒回路（21）には、フロン系冷媒が充填されている。但し、フロン系の冷媒の代わりに二酸化炭素を用いてもよい。冷媒回路（21）には、圧縮機（22）、熱源側熱交換器（23）、減圧機構（24）、及び室外熱交換器（25）が順番に接続されている。
【００４３】
圧縮機（22）は、運転容量が固定の圧縮機として構成されている。圧縮機（22）は、電動機が常に一定の回転速度で運転されるものであって、その運転容量が固定になっている。圧縮機（22）は、暖房システム（10）の運転中は停止することなく連続運転を行う。つまり、圧縮機（22）は、熱搬送回路（30）で水が循環している間は停止することなく連続運転を行う。
【００４４】
熱源側熱交換器（23）は、第１通路（23a）が冷媒回路（21）に接続されている。減圧機構（24）は、開度可変の電子膨張弁として構成されている。室外熱交換器（25）は、クロスフィン型のフィン・アンド・チューブ熱交換器として構成されている。室外熱交換器（25）の近傍には、室外熱交換器（25）に空気を送るための室外ファン（26）が設けられている。
【００４５】
〈コントローラの構成〉
本実施形態１の暖房システム（10）には、暖房システム（10）の運転状態を制御するコントローラ（50）が設けられている。コントローラ（50）は、制御手段（55）を構成している。
【００４６】
コントローラ（50）は、出口温度センサ（16）の計測値に基づいて熱搬送回路（30）の動作を制御する。具体的に、コントローラ（50）は、出口温度センサ（16）の計測値に基づいて通常動作と蓄熱動作と利用動作から実行する動作を選択し、選択した動作を熱搬送回路（30）に実行させるように構成されている。
【００４７】
コントローラ（50）には、出口温度センサ（16）の計測値（Ｔo）と、室内の設定温度（Ｔs）とが入力される。また、コントローラ（50）には、熱搬送回路（30）の動作を選択するための第１判定値（Ｔ１）及び第２判定値（Ｔ２）が、予め設定されている。第１判定値（Ｔ１）はプラスの値になっている。第２判定値（Ｔ２）は、マイナスの値になっており、絶対値が第１判定値（Ｔ１）に等しくなっている。
【００４８】
コントローラ（50）は、出口温度センサ（16）の計測値（Ｔo）と室内の設定温度（Ｔs）との差（Ｔo−Ｔs）を、第１判定値（Ｔ１）及び第２判定値（Ｔ２）と比較することによって、実行する動作を選択する。具体的に、コントローラ（50）は、下記の式１が成立する場合、つまり、各利用側熱交換器（35）を通過した水の温度が所定の数値範囲（Ｔ２＋Ｔs以上Ｔ１＋Ｔs以下の範囲）内の値であると判断した場合には、通常動作を選択する。通常動作は、図２に示すように、室内の暖房負荷がそれほど高くも低くもないときに選択される。コントローラ（50）は、通常動作を選択すると、第１開閉弁（41）を開状態に設定し、第２開閉弁（42）、第３開閉弁（43）、第４開閉弁（44）及び第５開閉弁（45）を閉状態に設定することによって、熱搬送回路（30）に通常動作を実行させる。
【００４９】
式１：Ｔ２≦Ｔo−Ｔs≦Ｔ１
また、コントローラ（50）は、下記の式２が成立する場合、つまり、各利用側熱交換器（35）を通過した水の温度が所定の数値範囲内の上限値（Ｔ１＋Ｔs）を上回ると判断した場合には、蓄熱動作を選択する。蓄熱動作は、室内の暖房負荷が比較的低く各利用側熱交換器（35）で温水の温度がそれほど低下しない場合に選択される。コントローラ（50）は、蓄熱動作を選択すると、第１開閉弁（41）、第２開閉弁（42）及び第４開閉弁（44）を開状態に設定し、第３開閉弁（43）及び第５開閉弁（45）を閉状態に設定することによって、熱搬送回路（30）に蓄熱動作を実行させる。また、コントローラ（50）は、ポンプ（36）の吐出流量を通常動作のまま維持する。
【００５０】
式２：Ｔ１＜Ｔo−Ｔs
また、コントローラ（50）は、下記の式３が成立する場合、つまり、各利用側熱交換器（35）を通過した水の温度が所定の数値範囲内の下限値（Ｔ２＋Ｔs）を下回ると判断した場合には、利用動作を選択する。利用動作は、室内の暖房負荷が比較的高く各利用側熱交換器（35）で温水の温度が比較的大きく低下する場合に選択される。コントローラ（50）は、利用動作を選択すると、第１開閉弁（41）、第３開閉弁（43）及び第５開閉弁（45）を開状態に設定し、第２開閉弁（42）及び第４開閉弁（44）を閉状態に設定することによって、熱搬送回路（30）に利用動作を実行させる。また、コントローラ（50）は、ポンプ（36）の吐出流量を通常動作よりも大きな値に設定する。
【００５１】
式３：Ｔo−Ｔs＜Ｔ２
−運転動作−
本実施形態１の暖房システム（10）の動作について説明する。なお、この暖房システム（10）では、電源がオンになっている間は、冷媒回路（21）で圧縮機（22）が連続運転を行い、熱搬送回路（30）でポンプ（36）が連続運転を行う。
【００５２】
まず冷媒回路（21）の動作について説明する。冷媒回路（21）では、圧縮機（22）から吐出された冷媒が循環することによって、熱源側熱交換器（23）が放熱器（凝縮器）として動作して、室外熱交換器（25）が吸熱器として動作する冷凍サイクルが行われる。この冷凍サイクルでは、減圧機構（24）の開度が適宜調節される。
【００５３】
具体的に、圧縮機（22）から吐出された冷媒は、熱源側熱交換器（23）の第１通路（23a）において第２通路（23b）の水に放熱して凝縮する。熱源側熱交換器（23）で凝縮した冷媒は、減圧機構（24）で減圧され、室外熱交換器（25）において室外ファン（26）が送る空気から吸熱して蒸発する。室外熱交換器（25）で蒸発した冷媒は、圧縮機（22）に戻って圧縮され、再び吐出される。なお、冷媒回路（21）の動作は、熱搬送回路（30）の動作の種類によらず同じである。
【００５４】
続いて、熱搬送回路（30）の動作について説明する。以下では、熱搬送回路（30）の動作を通常動作、蓄熱動作、利用動作の順番に説明する。
【００５５】
〈通常動作〉
通常動作では、図３に示すように、第１開閉弁（41）が開状態に設定され、第２開閉弁（42）、第３開閉弁（43）、第４開閉弁（44）及び第５開閉弁（45）が閉状態に設定される。熱搬送回路（30）では、熱源側熱交換器（23）の第２通路（23b）で冷媒によって加熱された温水が、供給通路（31a）を通じて供給側ヘッダ（33）に流入する。供給側ヘッダ（33）では、温水が各利用側熱交換器（35）に分配される。各利用側熱交換器（35）では、分配された温水が室内へ放熱して冷却される。各利用側熱交換器（35）で放熱した水は、戻り側ヘッダ（34）で他の利用側熱交換器（35）を放熱した水と合流し、熱源側熱交換器（23）に戻って再び加熱される。
【００５６】
熱搬送回路（30）では、熱源側熱交換器（23）と各利用側熱交換器（35）の間で水が循環することで、冷媒回路（21）の冷媒の熱が熱搬送回路（30）の水を介して室内に伝達され、室内が暖房される。なお、熱源側熱交換器（23）と各利用側熱交換器（35）の間で水が循環する点は、後述する蓄熱動作及び利用動作でも同じである。
【００５７】
〈蓄熱動作〉
蓄熱動作では、図４に示すように、第１開閉弁（41）、第２開閉弁（42）及び第４開閉弁（44）が開状態に設定され、第３開閉弁（43）及び第５開閉弁（45）が閉状態に設定される。ポンプ（36）の運転容量は、通常動作と同じ値に設定される。以下では、通常動作と異なる点について説明する。
【００５８】
熱搬送回路（30）では、第４開閉弁（44）が開状態になっているので、蓄熱タンク（37）の下層の水が、第１連通通路（62a）を通じてポンプ（36）に吸入されて、蓄熱タンク（37）から流出する。蓄熱タンク（37）から流出した水は、各利用側熱交換器（35）を通過した水と合流して、熱源側熱交換器（23）へ送られる。また、熱搬送回路（30）では、第２開閉弁（42）が開状態になっているので、供給通路（31a）を流れる温水の一部が、入湯通路（61）を通じて蓄熱タンク（37）へ流入する。蓄熱タンク（37）には、第１連通通路（62a）から流出する流量と同じ流量の温水が流入する。蓄熱タンク（37）では、熱源側熱交換器（23）で加熱された高温の水が流入して下層の低温の水が流出するので、温水量が増加する。
【００５９】
蓄熱動作では、熱源側熱交換器（23）で加熱された温水の一部が蓄熱タンク（37）へ供給されるので、各利用側熱交換器（35）へ供給される温水の流量が通常動作に比べて少なくなる。従って、各利用側熱交換器（35）へ供給される温水の熱量が通常動作に比べて少なくなるので、各利用側熱交換器（35）における加熱能力が通常動作に比べて低くなる。
【００６０】
〈利用動作〉
利用動作では、図５に示すように、第１開閉弁（41）、第３開閉弁（43）及び第５開閉弁（45）が開状態に設定され、第２開閉弁（42）及び第４開閉弁（44）が閉状態に設定される。ポンプ（36）の吐出流量は、通常動作よりも大きな値に設定される。以下では、通常動作と異なる点について説明する。
【００６１】
熱搬送回路（30）では、第５開閉弁（45）が開状態になっているので、蓄熱タンク（37）の上層の温水が、出湯通路（64）を通じて流出する。蓄熱タンク（37）から流出した温水は、熱源側熱交換器（23）で加熱された温水と合流して、各利用側熱交換器（35）へ供給される。また、熱搬送回路（30）では、第３開閉弁（43）が開状態になっているので、ポンプ（36）から吐出された水の一部が、第２連通通路（62b）を通じて蓄熱タンク（37）へ供給される。蓄熱タンク（37）には、出湯通路（64）から流出する流量と同じ流量の水が流入する。蓄熱タンク（37）では、上層の高温の水が流出して放熱後の比較的低温の水が流入するので、温水量が減少する。
【００６２】
利用動作では、熱源側熱交換器（23）だけでなく蓄熱タンク（37）からも各利用側熱交換器（35）へ温水が供給されるので、各利用側熱交換器（35）へ供給される温水の流量が通常動作に比べて多くなる。従って、各利用側熱交換器（35）へ供給される温水の熱量が通常動作に比べて多くなるので、各利用側熱交換器（35）における加熱能力が通常動作に比べて高くなる。
【００６３】
−実施形態１の効果−
本実施形態１では、利用側熱交換器（35）に供給する熱媒体の熱量を蓄熱タンク（37）によって調節することができるので、冷媒回路（21）における冷媒の循環量を調節しなくても、利用側熱交換器（35）における加熱能力を調節することが可能である。利用側熱交換器（35）における加熱能力は、冷凍サイクルによって得られる温熱量が一定でも調節可能である。このため、冷凍サイクルだけで加熱能力を調節する場合に比べて、冷媒回路（21）における冷媒の循環量の変動幅が小さくなる。従って、冷媒回路（21）での冷媒の循環量を、それほど高い成績係数が得られないような値に設定せざるを得なくなる時間を短縮できるので、暖房システムの運転効率を向上させることができる。
【００６４】
また、本実施形態１では、蓄熱を行わない通常動作が行われるので、例えば蓄熱タンク（37）が熱源側熱交換器（23）と利用側熱交換器（35）の間に配置されている場合に比べて、蓄熱タンク（37）における放熱量を削減することができる。
【００６５】
また、本実施形態１では、利用側熱交換器（35）を通過した水の温度を用いて熱搬送回路（30）の動作を制御しているので、暖房負荷に応じて熱搬送回路（30）の動作が切り換えられる。従って、暖房負荷に応じて利用側熱交換器（35）の加熱能力を適切に調節することができる。
【００６６】
また、本実施形態１では、冷媒回路（21）の圧縮機（22）として運転容量が固定の圧縮機を用いている。このため、圧縮機（22）の運転容量における成績係数が高くなるように冷媒回路（21）を設計することで、常に成績係数が高くなる状態で運転を行うことができる。従って、暖房システムの運転効率を向上させることができる。
【００６７】
また、本実施形態１では、熱搬送回路（30）で熱媒体が循環している間は、冷媒回路（21）から熱搬送回路（30）へ連続的に熱が供給される。このため、冷媒回路（21）の単位時間当たりの出力熱量を小さくすることが可能である。従って、圧縮機（22）を含めて冷媒回路（21）の構成を小型化することができる。また、圧縮機（22）の発停に伴うエネルギーロスをなくすことができるので、暖房システムの運転効率を向上させることが可能である。
【００６８】
また、本実施形態１は、ポンプ（36）の吸入側に蓄熱タンク（37）の下部を連通させる第１連通通路（62a）と、ポンプ（36）の吐出側に蓄熱タンク（37）の下部を連通させる第２連通通路（62b）とを設けているので、戻り通路（31b）のポンプ（36）のみで、通常動作と蓄熱動作と利用動作の何れの動作でも実行することが可能である。このため、蓄熱動作や利用動作のために別途にポンプ（36）を設けることを回避できるので、熱搬送回路（30）の構成を簡素化することができる。
【００６９】
また、本実施形態１では、ポンプ（36）の吐出流量の制御によって、通常動作に比べて利用動作の方が利用側熱交換器（35）へ供給される温水の流量を多くなるようにしている。従って、利用動作において利用側熱交換器（35）における加熱能力を効率的に高めることができる。
【００７０】
《発明の実施形態２》
本発明の実施形態２について説明する。本実施形態２は、本発明に係る暖房システム（10）を備える暖房給湯システム（11）である。以下では、上記実施形態１と異なる点について説明する。
【００７１】
図６に示すように、実施形態２では、熱搬送回路（30）の水と熱交換を行う熱媒体が循環する室内側回路（80）が、利用側熱交換器（35）に接続されている。室内側回路（80）は三次側回路になっている。なお、利用側熱交換器（35）の個数は１つである。この実施形態２では、室内に設置する熱交換器を室内側回路（80）に設けているので、熱搬送回路（30）を室内側に配設する必要がない。従って、冷媒回路（21）と熱搬送回路（30）とを１つの室外ユニットに組み込むことが可能である。
【００７２】
室内側回路（80）には、室内熱交換器（75）が複数設けられている。複数の室内熱交換器（75）は、ヘッダ（73,74）の間において互いに並列に接続されている。室内熱交換器（75）は、室内を区画する区画部材である床面材の裏側に設置される床暖房用のラジエータや、室内空間に設置されるラジエータとして構成されている。
【００７３】
室内側回路（80）には、戻り側のヘッダ（74）と利用側熱交換器（35）の間に、吐出流量が一定の室内用ポンプ（76）が設けられている。また、室内用ポンプ（76）の吸入側には、室内側回路（80）の圧力を逃がすための膨張タンク（78）が接続されている。なお、室内用ポンプ（76）は、吐出流量が可変に構成されていてもよい。
【００７４】
熱搬送回路（30）には、給水用回路（70）が接続されている。給水用回路（70）は、市水を熱搬送回路（30）に供給するための市水側通路（51）と、風呂場の浴槽及びシャワーや台所の蛇口などの利用側へ延びる利用側通路（52）とを備えている。市水側通路（51）の出口端は、合流通路（63）に接続されている。一方、利用側通路（52）の入口端は、出湯通路（64）に接続されている。
【００７５】
利用側通路（52）には、混合弁（55）が設けられている。混合弁（55）には、市水側通路（51）から分岐した分岐通路（53）が接続されている。混合弁（55）は、利用側で必要となる水温に応じて、利用側通路（52）を流通する温水と分岐通路（53）から流入する水との流量割合を調節可能に構成されている。
【００７６】
また、市水側通路（51）には、蓄熱タンク（37）へ向かう水の流れのみを許容する逆止弁（58）が設けられている。また、蓄熱タンク（37）の頂部には、蓄熱タンク（37）の圧力を逃がすための逃し通路（57）が接続されている。逃し通路（57）には逃し弁（56）が設けられている。
【００７７】
−動作動作−
本実施形態２の暖房給湯システム（11）において、給水用回路（70）の利用側で温水を利用する場合の動作について説明する。
【００７８】
熱搬送回路（30）が通常動作を行う場合、図７に示すように、蓄熱タンク（37）には市水側通路（51）を通じて低温の水が流入し、蓄熱タンク（37）からは利用側通路（52）を通じて高温の水が流出する。蓄熱タンク（37）では、温水量が減少する。
【００７９】
熱搬送回路（30）が蓄熱動作を行う場合、図８に示すように、蓄熱タンク（37）には、供給通路（31a）を流れる温水の一部が、入湯通路（61）を通じて流入する。蓄熱タンク（37）からは、利用側通路（52）を通じて高温の水が流出すると共に、合流通路（63）を通じて低温の水が流出する。合流通路（63）には、市水側通路（51）の水が合流する。
【００８０】
熱搬送回路（30）が利用動作を行う場合、図９に示すように、蓄熱タンク（37）には、合流通路（63）を通じて、ポンプ（36）から吐出された水の一部と、市水側通路（51）から供給される水とが流入する。蓄熱タンク（37）からは、出湯通路（64）を通じて高温の水が流出する。蓄熱タンク（37）から流出した高温の水は、供給通路（31a）側と利用側通路（52）とに分岐する。
【００８１】
《その他の実施形態》
上記実施形態は、以下の変形例のように構成してもよい。
【００８２】
−第１変形例−
第１変形例では、図１０に示すように、熱搬送回路（30）に、主ポンプ（36）と副ポンプ（39）の２つのポンプが設けられている。主ポンプ（36）は戻り通路（31b）に配置されている。副ポンプ（39）は第２連通通路（62b）に配置されている。なお、この第１変形例では、第２連通通路（62b）の戻り通路（31b）側が、主ポンプ（36）の吸入側に接続されている。
【００８３】
コントローラ（50）は、利用動作のときだけ副ポンプ（39）を運転させる。副ポンプ（39）は、図１０に示すように、利用動作の際に戻り通路（31b）を流通する水の一部を蓄熱タンク（37）の下部へ送り、蓄熱タンク（37）の温水を出湯通路（64）を通じて流出させる。なお、利用動作の際の主ポンプ（36）の吐出流量は、上記実施形態と異なり、通常動作の値と同じである。つまり、主ポンプ（36）の吐出流量は常に一定である。このため、主ポンプ（36）には、吐出流量が固定のポンプを用いることができる。
【００８４】
この第１変形例では、利用動作の際に蓄熱タンク（37）の下部へ送られる水の流量が、副ポンプ（39）の吐出流量によって決定される。蓄熱タンク（37）では、下部へ送られた水によって利用側熱交換器（35）へ供給される温水が押し出される。従って、利用動作の際に蓄熱タンク（37）から利用側熱交換器（35）へ供給される温水の流量は、副ポンプ（39）の吐出流量によって決定されるので、利用動作の際に蓄熱タンク（37）から利用側熱交換器（35）へ供給される温水の流量を所望の流量に容易に設定することができる。
【００８５】
−第２変形例−
第２変形例では、図１１に示すように、熱搬送回路（30）の戻り通路（31b）に、冷却用熱交換器（67,67）が設けられている。冷却用熱交換器（67,67）は、複数設けられ、ヘッダ（68,69）の間において互いに並列に接続されている。各冷却用熱交換器（67）は、室内に設置される室内機に収容されている（図示省略）。各室内機には、冷却用熱交換器（67）へ空気を送る室内ファン（66）が設けられている。
【００８６】
この第２変形例では、各利用側熱交換器（35）で冷却された水が、各冷却用熱交換器（67）において室内ファン（66）が送る空気と熱交換を行ってさらに冷却される。各冷却用熱交換器（67）で加熱された空気は室内へ供給される。熱源側熱交換器（23）に戻る水の温度は、冷却用熱交換器（67）がない場合に比べて低くなる。
【００８７】
なお、この第２変形例の冷媒回路（21）では、冷凍サイクルの高圧圧力が冷媒の臨界圧力よりも高くなる超臨界の冷凍サイクルが行われる。冷媒回路（21）の冷媒には、二酸化炭素が用いられている。
【００８８】
ここで、冷媒回路（21）で超臨界の冷凍サイクルが行われる場合、冷却用熱交換器（67）がなければ、熱源側熱交換器（23）に戻る水の温度は比較的高くなり、熱源側熱交換器（23）で放熱した冷媒の温度も、比較的高い温度（例えば４０℃ぐらい）になる。このため、温熱として利用できる冷媒の熱量が少なく、冷媒回路（21）における冷凍サイクルの成績係数がそれほど高い値にならないという問題がある。
【００８９】
これに対し、この第２変形例では、各利用側熱交換器（35）を通過した水の温熱を各冷却用熱交換器（67）で利用することで、熱源側熱交換器（23）に戻る水の温度が低くなり、熱源側熱交換器（23）で放熱した冷媒の温度も低い温度（例えば２０℃ぐらい）になる。つまり、温熱として利用できる冷媒の熱量が多くなる。このとき、圧縮機（22）において冷媒の圧縮に要するエネルギーは増大しない。従って、冷却用熱交換器（67）を設けることで、冷媒回路（21）において高い成績係数を得ることが可能となる。
【００９０】
−第３変形例−
上記実施形態では、コントローラ（50）が、利用側熱交換器（35）を通過した熱媒体の温度を用いて熱搬送回路（30）の動作を選択しているが、利用側熱交換器（35）を通過する途中の熱媒体の温度を用いて熱搬送回路（30）の動作を選択してもよい。例えば利用側熱交換器（35）が１つの場合に、出口温度センサ（16）を利用側熱交換器（35）の出口側に配置することができる。
【００９１】
−第４変形例−
上記実施形態について、熱搬送回路（30）を循環する熱媒体が水以外の液体であってもよい。
【００９２】
なお、以上の実施形態は、本質的に好ましい例示であって、本発明、その適用物、あるいはその用途の範囲を制限することを意図するものではない。
【産業上の利用可能性】
【００９３】
以上説明したように、本発明は、冷凍サイクルを行う冷媒回路を熱源とする暖房システムについて有用である。
【図面の簡単な説明】
【００９４】
【図１】本実施形態１に係る暖房システムの概略構成図である。
【図２】本実施形態１に係る暖房システムにおける熱搬送回路の動作と暖房負荷の関係を示す図表である。
【図３】本実施形態１に係る暖房システムの通常動作中の熱搬送回路の水の流れを示す概略構成図である。
【図４】本実施形態１に係る暖房システムの蓄熱動作中の熱搬送回路の水の流れを示す概略構成図である。
【図５】本実施形態１に係る暖房システムの利用動作中の熱搬送回路の水の流れを示す概略構成図である。
【図６】本実施形態２に係る暖房給湯システムの概略構成図である。
【図７】本実施形態２に係る暖房給湯システムの通常動作中の熱搬送回路及び給水用回路の水の流れを示す概略構成図である。
【図８】本実施形態２に係る暖房給湯システムの蓄熱動作中の熱搬送回路及び給水用回路の水の流れを示す概略構成図である。
【図９】本実施形態２に係る暖房給湯システムの利用動作中の熱搬送回路及び給水用回路の水の流れを示す概略構成図である。
【図１０】その他の実施形態の第１変形例に係る暖房システムの概略構成図である。
【図１１】その他の実施形態の第２変形例に係る暖房システムの概略構成図である。
【符号の説明】
【００９５】
１０    暖房システム
２０    熱源ユニット
２１    冷媒回路
２３    熱源側熱交換器
３０    熱搬送回路
３１ａ  供給通路
３１ｂ  戻り通路
３５    利用側熱交換器
３６    ポンプ
３７    蓄熱タンク
５０    コントローラ（制御手段）
【図１】
2009281650.tif 000003
【図２】
2009281650.tif 000004
【図３】
2009281650.tif 000005
【図４】
2009281650.tif 000006
【図５】
2009281650.tif 000007
【図６】
2009281650.tif 000008
【図７】
2009281650.tif 000009
【図８】
2009281650.tif 000010
【図９】
2009281650.tif 000011
【図１０】
2009281650.tif 000012
【図１１】
2009281650.tif 000013